(57)【特許請求の範囲】
【請求項１】
回転軸組立体と、金属脚と、接続線と、基板とを備え、前記金属脚の一方の端は前記接続線の一方の端と接続され、前記金属脚は前記基板の表面上に形成され、前記回転軸組立体は回転軸と回転軸スリーブとを備え、前記回転軸は、前記回転軸スリーブ内に配置され、前記回転軸スリーブに相対的に回転することが可能であり、前記回転軸スリーブは前記基板の表面上に固定され、前記金属脚とは反対側に金属層が設けられ、前記金属層は前記基板を覆うＵ字形の断面を有する、ＵＳＢ雌と接続するためのＵＳＢコネクタ。
【請求項２】
前記回転軸は前記回転軸上に第１の位置決め構造体を有し、前記回転軸スリーブは前記回転軸スリーブ内に第２の位置決め構造体を有し、前記第１の位置決め構造体は、位置決め機能を実現するために、前記第２の位置決め構造体と連携する、請求項１に記載のＵＳＢコネクタ。
【請求項３】
前記回転軸組立体は弾性部をさらに有し、前記第１の位置決め構造体を有する前記回転軸が前記第２の位置決め構造体を通して延在し、前記第１の位置決め構造体は、前記回転軸スリーブの内部の前記弾性部を圧縮するように前記第２の位置決め構造体と係合する、請求項２に記載のＵＳＢコネクタ。
【請求項４】
前記ＵＳＢコネクタが逆に挿入されるのを防止するためのフールプルーフ構造体をさらに備え、前記フールプルーフ構造体は、前記金属層の２つの側面を前記金属層の下面から離れる方向に延長することによって形成される突起である、請求項１に記載のＵＳＢコネクタ。
【請求項５】
前記回転軸組立体は回転軸支持体をさらに含み、前記回転軸組立体は前記回転軸支持体により前記回転軸支持体とともに前記基板の前記表面上に固定される、請求項１〜４のいずれか１項に記載のＵＳＢコネクタ。
【請求項６】
第１の支持体穴および第２の支持体穴がそれぞれ前記回転軸支持体のいずれかの面に備えられ、前記接続線の他端が前記第１の支持体穴を貫通し、前記回転軸スリーブの少なくとも一部が前記第２の支持体穴により受けられる、請求項５に記載のＵＳＢコネクタ。
【請求項７】
ＵＳＢコネクタと、ハウジングと、ＰＣＢ（プリント回路基板）とを備えるＵＳＢ装置であって、
前記ＵＳＢコネクタは、金属脚と、接続線と、基板とを備え、前記金属脚の一方の端は前記接続線の一方の端と接続され、前記金属脚は前記基板の表面上に形成され、前記ＵＳＢコネクタは、回転軸組立体によって、前記ハウジングの端において組み付けられ、前記回転軸組立体は回転軸と回転軸スリーブとを備え、前記回転軸スリーブは前記基板の表面上に固定され、前記回転軸は、前記回転軸スリーブ内に配置され、前記回転軸スリーブに相対的に回転することが可能であり、前記金属脚とは反対側に金属層が設けられ、前記金属層は前記基板を覆うＵ字形の断面を有し、
前記ＰＣＢは前記ハウジングのキャビティの内部に配置され、前記ＰＣＢの端が前記接続線の他方の端と接続され、
前記ＵＳＢコネクタを収容するためのレセプタクルが前記ハウジングの表面上に設けられる、ＵＳＢ装置。
【請求項８】
前記回転軸は前記回転軸上に第１の位置決め構造体を有し、前記回転軸スリーブは前記回転軸スリーブ内に第２の位置決め構造体を有し、前記第１の位置決め構造体は、位置決め機能を実現するために、前記第２の位置決め構造体と連携する、請求項７に記載のＵＳＢ装置。
【請求項９】
前記回転軸組立体は弾性部をさらに有し、前記第１の位置決め構造体を有する前記回転軸が前記第２の位置決め構造体を通して延在し、前記第１の位置決め構造体は、前記回転軸スリーブの内部の前記弾性部を圧縮するように前記第２の位置決め構造体と係合する、請求項８に記載のＵＳＢ装置。
【請求項１０】
前記ＵＳＢコネクタが逆に挿入されるのを防止するためのフールプルーフ構造体をさらに備え、前記フールプルーフ構造体は、前記金属層の２つの側面を前記金属層の下面から離れる方向に延長することによって形成される突起である、請求項７に記載のＵＳＢ装置。
【請求項１１】
前記回転軸組立体は回転軸支持体をさらに含み、前記回転軸組立体は前記回転軸支持体により前記回転軸支持体とともに前記基板の前記表面上に固定される、請求項７〜１０のいずれか１項に記載のＵＳＢ装置。
【請求項１２】
第１の支持体穴および第２の支持体穴がそれぞれ前記回転軸支持体のいずれかの面に備えられ、前記接続線の他端が前記第１の支持体穴を貫通し、前記回転軸スリーブの少なくとも一部が前記第２の支持体穴により受けられる、請求項１１に記載のＵＳＢ装置。
【請求項１３】
前記レセプタクルは、前記金属脚が前記レセプタクルに対面するよう、前記ＵＳＢコネクタを収容する、請求項７に記載のＵＳＢ装置。
【請求項１４】
前記接続線は前記ＰＣＢの接地と接続するための接地端子を更に備え、前記金属層が、金属シートを介して前記接地端子と接続される、請求項７又は１０に記載のＵＳＢ装置。
【請求項１５】
前記ＵＳＢコネクタが前記レセプタクルを収容する際に、前記ＵＳＢコネクタの外部面と前記ハウジングの外部面とが連続的に接する、請求項７に記載のＵＳＢ装置。
【請求項１６】
前記金属脚の面が、前記基板の前記表面よりも低くなく、前記金属脚は前記基板の前記表面よりも０ミリメートルから０．２ミリメートルの間分高い、請求項７〜１５のいずれか１項に記載のＵＳＢ装置。
【請求項１７】
前記ＵＳＢコネクタは前記接続線を覆うための前記接続線用のリテーナを更に備える、請求項７に記載のＵＳＢ装置。
【請求項１８】
前記ＵＳＢコネクタの両端の各々が前記ハウジングの第１のハウジングの一端のいずれかの側に設けられた対応する穴にそれぞれ固定され、前記ＵＳＢコネクタが前記回転軸組立体により前記第１のハウジングの一端において組み立てられ、前記第１のハウジングは第２のハウジングにより覆われている、請求項７〜１７のいずれか１項に記載のＵＳＢ装置。
【発明の詳細な説明】
【技術分野】
【０００１】
本出願は、２００８年２月２６日出願の、「ＵＳＢ  ＣＯＮＮＥＣＴＯＲ  ＡＮＤ  ＵＳＢ  ＤＥＶＩＣＥ（ＵＳＢコネクタ及びＵＳＢ装置）」と題された中国特許出願第２００８１０００６３２５．５号の優先権を主張するものであり、当該出願はその全体が参照により本明細書中に援用される。
本発明は、通信の分野に関し、特に、ＵＳＢ（ユニバーサルシリアルバス）コネクタ及びＵＳＢ装置に関する。
【背景技術】
【０００２】
通信技術の急速な発展に伴い、ＵＳＢ製品は、人々の生活と仕事においてますます重要な役割を果たすようになっている。従来のＵＳＢ製品では、一般に、特別なＵＳＢコネクタが使用される。特別なＵＳＢコネクタは、ＵＳＢ製品の前部において提供され、ＵＳＢ製品は、ＵＳＢコネクタを介してＵＳＢポートと接続される。
【発明の概要】
【発明が解決しようとする課題】
【０００３】
本発明を実現する間に、発明者は、市場で一般に入手可能なＵＳＢ製品に関して、そのＵＳＢポートがＵＳＢ本体と長手方向に接続されているということを見出した。従って、ＵＳＢポートの長さは、ＵＳＢ本体の長さを増加させ、それにより、ＵＳＢ製品はより長くなる。結果として、そのようなＵＳＢ製品は、持ち運びが容易ではなく、精巧さとコンパクト性とに対する人々の基準を満たさないものとなっている。
【課題を解決するための手段】
【０００４】
本発明は、ＵＳＢコネクタ及びＵＳＢ装置を提供する。ＵＳＢコネクタは低減された厚さを有し、それにより、ＵＳＢ装置の厚さは減少する。
【０００５】
本発明は、金属脚と、接続線と、基板と、回転軸組立体とを含む、ＵＳＢ雌と接続するためのＵＳＢコネクタを提供する。金属脚の一方の端は、接続線の一方の端と接続される。金属脚は、基板の表面上に形成される。接続線と回転軸組立体とは、基板の表面に固定される。
【０００６】
本発明は、ＵＳＢコネクタと、ハウジングと、ＰＣＢ（プリント回路基板）とを含むＵＳＢ装置を更に提供し、ここで、
ＵＳＢコネクタは、金属脚と、接続線と、基板と、回転軸組立体とを含み、金属脚の一方の端は、接続線の一方の端と接続され、金属脚は、基板の表面上に形成され、接続線は、基板の表面に固定され、回転軸組立体は、基板の表面に固定され、ＵＳＢコネクタは、回転軸組立体によって、ハウジングの端において組み付けられ、
ＰＣＢは、ハウジングのキャビティの内部に配置され、ＰＣＢの端は、接続線の他方の端と接続され、
ＵＳＢコネクタを収容するためのレセプタクルが、ハウジングの表面上に設けられる。
【発明の効果】
【０００７】
本発明のＵＳＢコネクタ及びＵＳＢ装置によれば、金属脚の接続強度を保証するために、金属脚が基板の表面上に形成される。ＵＳＢコネクタのサイズは、主として基板によって決まり、その厚さが、ＵＳＢコネクタをＵＳＢ雌内に挿入する要件を満たす限り、ＵＳＢコネクタの厚さ、そして更には、ＵＳＢ装置の厚さは、ＵＳＢコネクタの機能を損なうことなく減少させられる。従来のＵＳＢ製品と比較すると、本発明によるＵＳＢ装置の厚さは大幅に減少し、それにより、ＵＳＢ装置はより小さくかつ持ち運びが容易になる。これは、精巧でコンパクトな電子製品に対する人々の要求を満たすだけでなく、ＵＳＢ装置の実用性と美観も向上させる。
【図面の簡単な説明】
【０００８】
【図１】本発明の第１の実施形態によるＵＳＢコネクタの分解概略図である。
【図２ａ】本発明の第１の実施形態によるＵＳＢコネクタの第１の構成概略図である。
【図２ｂ】本発明の第１の実施形態によるＵＳＢコネクタの第２の構成概略図である。
【図３】図１に示す回転軸組立体の分解概略図である。
【図４】図３に示す回転軸組立体の構成概略図である。
【図５ａ】本発明の第２の実施形態によるＵＳＢ装置の第１の部分分解概略図である。
【図５ｂ】本発明の第２の実施形態によるＵＳＢ装置の第２の部分分解概略図である。
【図６】本発明の第２の実施形態によるＵＳＢ装置の第１の構成概略図である。
【図７】本発明の第２の実施形態によるＵＳＢ装置の第２の構成概略図である。
【図８】本発明の第２の実施形態によるＵＳＢ装置における、使用中のＵＳＢコネクタの概略図である。
【発明を実施するための形態】
【０００９】
本発明について以下に詳述する。
【００１０】
第１の実施形態では、図１に示すように、ＵＳＢ雌と接続するためのＵＳＢコネクタ５１が、金属脚１１と、接続線１２と、基板１３とを含む。金属脚１１の一方の端は、接続線１２の一方の端と接続される。接続線１２の他方の端は、ＰＣＢと接続するために使用される。金属脚１１は、基板１３の表面上に形成される。接続線１２は、基板１３の表面に固定される。ＵＳＢコネクタの厚さは、主として基板１３の厚さによって決まる。基板１３の厚さが、ＵＳＢコネクタをＵＳＢ雌内に挿入する要件を満たす限り、ＵＳＢコネクタの厚さ、そして更には、ＵＳＢ装置の厚さが、ＵＳＢコネクタの機能を損なうことなく減少させられる。従来のＵＳＢ製品と比較すると、本発明によるＵＳＢ装置の厚さは大幅に減少し、ＵＳＢ装置はより小さくかつ持ち運びが容易になり、これは、精巧でコンパクトな電子製品に対する人々の要求を満たすだけでなく、ＵＳＢ装置の実用性と美観も向上させる。
【００１１】
更に、基板１３の厚さが２．４５ｍｍを超える場合は、ＵＳＢコネクタをＵＳＢ雌内に挿入することが困難な可能性がある。基板１３の厚さが２．２ｍｍ未満である場合は、ＵＳＢコネクタをＵＳＢ雌内に挿入した後の、ＵＳＢコネクタとＵＳＢ雌との間の隙間が大きすぎる可能性がある。結果として、ＵＳＢコネクタとＵＳＢ雌との間の接続の安定性が減少する。従って、基板１３の厚さは、好ましくは、２．２ｍｍ〜２．４５ｍｍの範囲内である。
【００１２】
金属脚１１は、基板１３の表面に、インモールド加飾（ＩＭＤ）（Ｉｎ Ｍｏｌｄ Ｄｅｃｏｒａｔｉｏｎ）成形又はホットインサーティング（ｈｏｔ−ｉｎｓｅｒｔｉｎｇ）によって固定されてもよい。更に、金属脚１１の接続強度を向上させるために、基板１３の表面上に溝が作られてもよく、そして、金属脚１１は、基板１３と一体化するように、基板１３の表面内に埋め込まれる。あるいは、金属脚１１は、腐食法によって、基板１３の表面上に形成されてもよい。例えば、金属脚１１は、銅暴露によって、基板１３の表面上に形成される。
【００１３】
更に、金属脚とＵＳＢ雌との間の電気的接続性能を保証するために、金属脚１１の表面は、基板１３の表面より低くはされない。しかし、金属脚１１が、基板１３の表面を、０．２ｍｍを超える高さだけ上回る場合、ＵＳＢコネクタをＵＳＢ雌内に挿入することは困難な可能性がある。従って、金属脚は、基板１３の表面を、０〜０．２ｍｍの高さだけ上回る。
【００１４】
更に、ＵＳＢコネクタの寿命を延ばすために、金属脚１１の表面は金又は銀めっきされ、それにより、金属脚１１が空気中の汚染物質によって酸化されることが防止され、金属脚１１にユーザが触れた場合に金属脚１１が腐食することが防止される。
【００１５】
更に、ＵＳＢコネクタの静電放電（ＥＳＤ）保護を向上させるために、接続線１２は、ＰＣＢの接地線と接続するための接地端子１２１も含む。基板１３の、金属脚１１とは反対側の他方の表面において、金属層１４が設けられる。ＥＳＤ保護を実現するために、金属層１４は、金属シート１５を介して接地端子１２１と接続される。更に、耐蝕を向上させて、それによりＵＳＢコネクタの寿命を延ばすために、金属層１４は、ステンレス鋼の層であってもよい。更に、金属シート１５は、金属シート１５の一方の端が接続線１２の接地端子１２１と接続され、他方の端が金属層１４と接続されるように、基板１３を通って延在する。従って、金属シート１５は、組み立てられたＵＳＢコネクタの外側からは見えず、それにより、ＵＳＢコネクタの美観は向上する。金属層１４と金属シート１５との間の良好な接触が保証されるように、金属層１４は、超音波溶接、ボンディング、又はその他の方法によって基板１３に固定されてもよい。
【００１６】
更に、ＵＳＢコネクタの安定性を強化するために、接続線のためのリテーナ１６が、接続線１２を覆うために設けられる。接続線のためのリテーナ１６は、接続線１２を基板１３上に固定する。接続線のためのリテーナ１６は、射出成型によって、プラスチック又はホットメルトゴムから作られてもよい。加熱したプラスチック又はホットメルトゴムが、接続線１２と基板１３との間の隙間に埋められ、冷却後に、接続線のためのリテーナ１６を形成する。
【００１７】
更に、ＵＳＢコネクタの実用性を向上させるために、基板１３の表面上に、ＵＳＢコネクタが逆に挿入されるのを防止するためのフールプルーフ構造体１７が設けられる。ユーザがＵＳＢコネクタ５１をＵＳＢ雌に挿入する際に、金属脚１１とＵＳＢ雌１との間の良好な接触を形成するように、フールプルーフ構造体１７を有する表面が上向きにされ、それにより、ＵＳＢコネクタがＵＳＢ雌内に逆に挿入されること、及び、短絡や不機能の発生が、フールプルーフ構造体１７によって防止される。基板１３がＵＳＢ雌と係合する場合、基板１３の表面とＵＳＢ雌の内壁との間に隙間が形成されるため、フールプルーフ構造体１７は隙間内に収容されてもよい。従って、本実施形態により、全てのＵＳＢ雌がＵＳＢコネクタ５１と係合することができる。加えて、フールプルーフ構造体１７は、基板１３の表面上に、対称又は非対称に配置されてもよい。好ましくは、フールプルーフ構造体１７は、ＵＳＢコネクタの美観を向上させ、かつ、製造を容易にするために、基板１３の表面上に対称に配置される。あるいは、フールプルーフ構造体１７は、基板１３の表面の一方の側上に配置されるか、又は、基板１３の表面の両方の側上に対称に配置されてもよい。
【００１８】
更に、ＵＳＢコネクタを使用中の柔軟性を保証するために、図２ａに示すように、回転軸組立体１８が、基板１３の表面に固定される。回転軸組立体１８は、超音波溶接、ボンディングなどによって基板１３の表面に固定されてもよい。図５ａ及び図５ｂに示すように、Ｕディスク又は無線ネットワークアダプタなどのＵＳＢ装置を形成するために、ＵＳＢコネクタ５１が回転軸組立体１８によって他の構成要素に組み付けられた場合、ＵＳＢコネクタ５１は、回転軸組立体１８によって、他の構成要素に相対的に回転してもよい。更に、図３及び図４に示すように、回転軸組立体１８は、回転軸１８１と回転軸スリーブ１８２とを含んでもよい。回転軸スリーブ１８２は、基板１３の表面上に固定され、そして、回転軸１８１は、回転軸スリーブ１８２内で回転してもよい。回転軸１８１は、その上に第１の位置決め構造体１８１１を有し、回転軸スリーブ１８２は、その中に第２の位置決め構造体１８２１を有する。第１の位置決め構造体１８１１は、位置決め機能を実現するために、第２の位置決め構造体１８２１と連携する。第１の位置決め構造体１８１１と第２の位置決め構造体１８２１とを有する回転軸組立体１８は、ＵＳＢコネクタ５１が回転している場合に位置決めを実現することができる。例えば、ＵＳＢコネクタ５１は、４５°又は９０°回転するごとに停止してもよい。第１の位置決め構造体１８１１及び第２の位置決め構造体１８２１は、従来の位置決め構造体を採用してもよい。例えば、第１の位置決め構造体１８１１は、弾性突起であり、第２の位置決め構造体１８２１は、ＵＳＢコネクタ５１が回転する際の位置決め要件に従って、回転軸スリーブ１８２の内部に規則的に分布された、位置決め穴又は位置決め溝である。回転軸１８１が回転軸スリーブ１８２に相対的に回転し、第１の位置決め構造体１８１１が第２の位置決め構造体１８２１に接触する場合、弾性突起が、位置決め穴又は位置決め溝内に挿入され、それにより、ＵＳＢコネクタ５１は停止されて位置決めされる。ＵＳＢコネクタ５１を継続的に回転させる力がＵＳＢコネクタ５１に影響を及ぼす場合、弾性突起は、位置決め穴又は位置決め溝の内壁の押し出しを受けて変形し、位置決め穴から離れ、それにより、ＵＳＢコネクタは、元の方向又は反対の方向に継続して回転することができる。
【００１９】
ＵＳＢ装置を形成するために、ＵＳＢコネクタ５１を他の構成要素に取り付けるのを容易にするために、回転軸組立体１８は、回転軸支持体１８３をも含んでもよい。回転軸スリーブ１８２が基板１３の表面上に固定される方法とは異なり、回転軸支持体１８３を有する回転軸組立体１８は、回転軸支持体１８３によって、基板１３の表面上に固定される。図２ａ及び図２ｂに示すように、回転軸支持体を備える回転軸組立体は、以下の方法で基板の表面上に固定される。回転軸支持体１８３が基板１３の表面内に置かれ、基板１３の表面と接触する回転軸支持体１８３の部分が固定して接続され、第１の支持体穴１８３１及び第２の支持体穴１８３２が、それぞれ、回転軸支持体１８３のどちらかの側において設けられ、接続線１２の他方の端が、第１の支持体穴１８３１を貫通してＰＣＢと接続され、回転軸スリーブ１８２が、第２の支持体穴１８３２を貫通する。図１に示すように、５本のワイヤが撚り合わされて接続線１２を形成し、５本のワイヤの一方の端は、金属脚１１と接続され、他方の端は、第１の支持体穴１８３１を貫通する。図６に示すように、ＵＳＢ装置を形成するために、ＵＳＢコネクタは他の構成要素に組み付けられており、ＵＳＢコネクタは、回転軸組立体１８によって、他の構成要素に相対的に、時計回り又は反時計回りに回転してもよい。回転中に、接続線１２は、麻花（ｆｒｉｅｄ−ｄｏｕｇｈ−ｔｗｉｓｔ）のように、撚られるか又は撚り戻される。更に、回転軸スリーブ１８２は、第１のスリーブ部１８２２と、第２のスリーブ部１８２３と、弾性部１８２４とを含む。第１のスリーブ部１８２２は、その上に貫通穴を有する。第２のスリーブ部１８２３は、その中にキャビティ１８２３１を有し、かつ、第２のスリーブ部１８２３の側壁内に形成された穴１８２３２を有する。弾性部１８２４は、バネなどであってもよい。回転軸１８１は、弾性角頭（ｅｌａｓｔｉｃ  ｓｑｕａｒｅ  ｈｅａｄ）１８１１と、弾性角頭に接続された後端１８１２とを含む。後端１８１２は、第１のスリーブ部を貫通し、回転軸スリーブ１８２の第２のスリーブ部１８２３と協働して、弾性部１８２４を圧縮する。後端１８１２が第２のスリーブ部のキャビティ１８２３１内に嵌合された後、弾性角頭１８１１が第２のスリーブ部の側壁の穴１８２３２から排出されるように、弾性部１８２４の弾性変形が復旧する。
【００２０】
第２の実施形態では、図５ａ、図５ｂ、及び図６に示すように、Ｕディスク又は無線ネットワークアダプタなどのＵＳＢ装置が、第１の実施形態で説明したＵＳＢコネクタ５１と、ハウジング５２と、ＰＣＢとを含む。第１の実施形態における部分と同じ部分は、第１の実施形態における参照番号と同じ参照番号によって示されている。ＵＳＢコネクタ５１は、金属脚１１と、接続線１２と、基板１３と、回転軸組立体１８とを含む。金属脚１１の一方の端は、接続線１２の一方の端と接続される。金属脚１１は、基板１３の表面上に形成される。回転軸組立体１８は、基板１３の表面に固定される。ＵＳＢコネクタは、回転軸組立体１８によって、ハウジング５２の端において組み付けられる。ＰＣＢは、ハウジングのキャビティの内部に配置され、ＰＣＢの端は、接続線１２の他方の端と接続される。ＵＳＢコネクタを収容するためのレセプタクル５２１が、ハウジングの表面内に設けられる。
【００２１】
組み立てを容易にするために、ハウジングは、一般に、第１のハウジング５２２と第２のハウジング５２３とを含む。第１及び第２のハウジングは結合されてキャビティ（その中にＰＣＢが配置される）を形成する。組み立てられる際に、ＵＳＢコネクタの両端のそれぞれが、第１のハウジングの一方の端のどちらかの側において設けられた、１つの対応する穴に嵌合される。ＵＳＢコネクタは、従って、回転軸組立体１８によって、第１のハウジングの一方の端において組み付けられ、次に、第１のハウジングが第２のハウジングで覆われて、ＵＳＢ装置が形成される。ＵＳＢコネクタは、ハウジングに対して回転してもよく、接続線１２の導通は保証される。第１のハウジングの一方の端における、回転軸組立体１８によるＵＳＢコネクタの取り付けは、以下の方法で実施されてもよい。回転軸組立体は、回転軸スリーブと回転軸とを含み、回転軸は、軸スリーブ内で回転してもよく、回転軸スリーブは、基板の表面に固定され、回転軸の両方の端のそれぞれは、第１のハウジングの一方の端のどちらかの側の、対応する穴に嵌合される。あるいは、図５ａ及び図５ｂに示すように、回転軸組立体１８は、回転軸スリーブ１８２と、回転軸１８１と、回転軸支持体１８３とを含み、回転軸支持体１８３は、基板１３の表面に固定され、回転軸スリーブ１８２は、回転軸支持体１８３の一方の側における第２の支持体穴１８３２と、第１のハウジングの一方の端の一方の側において形成された穴５２２１とを、内側から貫通し、回転軸１８１は、回転軸スリーブ１８２内で回転してもよく、回転軸１８１と同軸である第１の支持部が、回転軸支持体１８３上に設けられ、第１の支持部に対応する第２の支持部が、第１のハウジングにおいて設けられ、第１の支持部は第２の支持部と協働して、ＵＳＢコネクタを、第１のハウジングに、回転可能に接続する。第１の支持部は、回転軸支持体１８３から外側に突出する突起１８３１であってもよく、第２の支持部は、第１のハウジングの一方の端の他方の側において形成された穴５２２２であってもよく、突起は穴の中に組み込まれる。あるいは、第１の支持部は、回転軸支持体１８３上に形成された溝であってもよく、第２の支持部は、第１のハウジングの一方の端の他方の側から内側に突出する突起であってもよく、突起は溝の中に組み込まれる。
【００２２】
ハウジングの表面上のレセプタクル５２１は、金属脚がレセプタクルに面するような方法で、ＵＳＢコネクタを収容する。従って、ＵＳＢ装置が使用されていない場合、ＵＳＢコネクタはレセプタクル内に収容され、金属脚はレセプタクルに面する。ＵＳＢ装置の外側から見ると、基板の、金属脚とは反対側の他方の表面のみが外側にさらされ、それにより、金属脚が環境によって汚染されること又は損傷することが防止される。
【００２３】
更に、図７に示すように、美観と心理との観点から、ＵＳＢコネクタがレセプタクル内に収容された場合、ＵＳＢコネクタの外表面とハウジングの外表面との間には滑らかな移行が存在する。従って、ＵＳＢ装置が使用されていない場合、ＵＳＢコネクタとハウジングとは同じ表面を有するように見え、その結果、ＵＳＢ装置の外観は美しく、シンプル、かつ滑らかなものとなり、それにより、精巧な製品に対するユーザの要求を満足する。
【００２４】
図８に示すように、実際には、ＵＳＢコネクタは、ハウジングに対して一方向に、又は反対方向に回転してもよく、従って、ＵＳＢコネクタは自由に回転することができ、保管が容易である。本発明によるＵＳＢ装置は、ＵＳＢコネクタがハウジングと同一直線上に配置されて、曲げられることができない、従来のＵＳＢ装置の欠点を解消する。
【００２５】
上記の説明は、本発明の特別な実施形態にすぎない。本発明の原理を逸脱することなく当業者が様々な修正及び変形を行うことができ、それらの修正及び変形は本発明の範囲に入るということに留意されたい。
【図１】
0005421424.tif 000002
【図２ａ】
0005421424.tif 000003
【図２ｂ】
0005421424.tif 000004
【図３】
0005421424.tif 000005
【図４】
0005421424.tif 000006
【図５ａ】
0005421424.tif 000007
【図５ｂ】
0005421424.tif 000008
【図６】
0005421424.tif 000009
【図７】
0005421424.tif 000010
【図８】
0005421424.tif 000011